(57)【特許請求の範囲】
【請求項１】
数字を含む文字などを表示可能な表示手段と、
使用者が数字を含む文字などを入力するための操作手段と、
任意桁数の登録番号と、名称と、その名称に対応する電話番号の少なくとも一部である固有番号とからなる単位電話帳情報を複数記憶可能な電話帳情報記憶手段と、
使用者により前記操作手段が操作されることによって前記単位電話帳情報に属する前記登録番号が複数連続して入力されたときに、それらの前記単位電話帳情報に属する前記固有番号を前記電話帳情報記憶手段から読み出し、入力順に連結して１つの電話番号として発呼させる発呼制御手段とを有する通信装置であって、
使用者により前記操作手段が操作されることによって前記単位電話帳情報に属する前記登録番号が複数連続して入力されたときに、先ず最初の前記単位電話帳情報に属する前記登録番号が入力された時点で、その単位電話帳情報に属する前記名称を前記電話帳情報記憶手段から読み出してそれを前記表示手段に表示させ、次以降の前記単位電話帳情報に属する前記登録番号が入力される毎に、その単位電話帳情報に属する前記名称を前記電話帳情報記憶手段から読み出してそれを現に表示されている名称に代えて前記表示手段に表示させ、その後に、既に入力済の登録番号に対応する固有番号を連結することによって構成される電話番号を現に表示されている名称に代えて前記表示手段に表示させる表示制御手段を備えたことを特徴とする通信装置。
【請求項２】
前記表示制御手段は、前記次以降の単位電話帳情報に属する前記名称を前記表示手段に表示させた時点から所定時間後に、既に入力済の登録番号に対応する固有番号を連結することによって構成される電話番号を現に表示されている名称に代えて前記表示手段に表示させる、請求項１に記載の通信装置。
【請求項３】
前記表示制御手段は、前記次以降の単位電話帳情報に属する前記名称を前記表示手段に表示させた後、使用者により前記操作手段に所定の操作が施されたときに、既に入力済の登録番号に対応する固有番号を連結することによって構成される電話番号を現に表示されている名称に代えて前記表示手段に表示させる、請求項１に記載の通信装置。
【請求項４】
前記表示制御手段は、前記次以降の単位電話帳情報に属する前記名称を前記表示手段に表示させた時点から所定時間が経過するか、あるいは使用者により前記操作手段に所定の操作が施されたときに、既に入力済の登録番号に対応する固有番号を連結することによって構成される電話番号を現に表示されている名称に代えて前記表示手段に表示させる、請求項１に記載の通信装置。
【請求項５】
３以上の前記固有番号を連結することでも電話番号を構成できる場合、前記操作手段が操作されることによって３回目以降に入力される前記登録番号は、所定時間内に入力可能であることを特徴とする請求項１に記載の通信装置。
【請求項６】
３回目以降に入力される前記登録番号は、所定時間内であって、使用者により前記操作手段に所定の操作が施される前に入力可能であることを特徴とする請求項５に記載の通信装置。
【請求項７】
前記登録番号の入力は、使用者によって、所定のキー操作が行なわれた後に、前記登録番号がダイアルキーで数字入力されることにより行なわれる、請求項１ないし６のいずれかに記載の通信装置。
【請求項８】
前記登録番号は、１桁であり、前記登録番号の入力は、使用者によって、所定の１個のキーと１個のダイアルキーとが操作されることのみにより行なわれる、請求項７に記載の通信装置。
【請求項９】
ダイアルキーとは別に設けられた複数のキーに前記登録番号がそれぞれ割り付けられており、前記登録番号の入力は、使用者によって、前記ダイアルキーとは別に設けられた前記キーが操作されることにより行なわれる、請求項１ないし８のいずれかに記載の通信装置。
【請求項１０】
数字を含む文字などを表示可能な表示手段と、使用者が数字を含む文字などを入力するための操作手段と、任意桁数の登録番号と、名称と、その名称に対応する電話番号の少なくとも一部である固有番号とからなる単位電話帳情報を複数記憶可能な電話帳情報記憶手段と、使用者により前記操作手段が操作されることによって前記単位電話帳情報に属する前記登録番号が複数連続して入力されたときに、それらの前記単位電話帳情報に属する前記固有番号を前記電話帳情報記憶手段から読み出し、入力順に連結して１つの電話番号として発呼させる発呼制御手段とを有する通信装置を制御するためのプログラムが格納された記憶媒体であって、使用者により前記操作手段が操作されることによって前記単位電話帳情報に属する前記登録番号が複数連続して入力されたときに、先ず最初の前記単位電話帳情報に属する前記登録番号が入力された時点で、その単位電話帳情報に属する前記名称を前記電話帳情報記憶手段から読み出してそれを前記表示手段に表示させ、次以降の前記単位電話帳情報に属する前記登録番号が入力される毎に、その単位電話帳情報に属する前記名称を前記電話帳情報記憶手段から読み出してそれを現に表示されている名称に代えて前記表示手段に表示させ、その後に、既に入力済の登録番号に対応する固有番号を連結することによって構成される電話番号を現に表示されている名称に代えて前記表示手段に表示させるための表示制御プログラムを含むプログラムが格納されていることを特徴とする記憶媒体。
【発明の詳細な説明】
【０００１】
【発明の属する技術分野】
本発明は、たとえばファクシミリ装置や電話装置のような通信装置に関するものである。
【０００２】
【従来の技術】
ファクシミリ装置や電話装置などにおいては、いわゆるワンタッチダイアル機能や短縮ダイアル機能を備えたものが普及している。そして、このようなワンタッチダイアル機能や短縮ダイアル機能を使用するに際して、いわゆるチェインダイアル機能を利用できるものが出現している。
【０００３】
このチェインダイアル機能というのは、たとえば、短縮機能を利用できる登録番号が０１〜２４であったとすると、所定の短縮キーを押下した後に、使用者がダイアルキー（数字キー）の操作により「０２」「１５」というように２つの登録番号を入力し、スタートキーを操作することにより、登録番号０２に登録されている「０５２８２４」と、登録番号１５に登録されている「２７９１」とが連結されて、「０５２８２４２７９１」という電話番号に発呼されるものである。
【０００４】
また、ワンタッチ機能を利用する場合は、たとえばワンタッチキーとして０１〜１５の番号が付与された１５個のキーが用意されているとすると、ワンタッチキーの「０２」と「１５」というように押下すると、そのワンタッチキーの番号に対応する登録番号０２に登録されている「０５２８２４」と、登録番号１５に登録されている「２７９１」とが連結されて、「０５２８２４２７９１」という電話番号に発呼されるものである。
【０００５】
このようなチェインダイアル機能を利用して発呼する場合、従来のファクシミリ装置や電話装置などにおいては、使用者がダイアルキーの操作により「０２」を入力した時点で、表示装置の表示画面上に登録番号０２に登録されている「通信太郎」などの名称を表示し、使用者がダイアルキーの操作により「１５」を入力した時点で、現に表示されている「通信太郎」などの名称を消去して、実際に発呼される電話番号「０５２８２４２７９１」を表示していた。
【０００６】
これは、極力小さな表示画面に極力大きな文字で表示を行ないたいという要請によるものである。すなわち、大きな表示画面の表示装置は、高価であり、しかも設置スペースも多く必要として携帯型の装置には設置困難であることから、小さな表示画面の表示装置を採用する必要がある。また、表示文字を小さくすれば、小さな表示画面に多くの情報を表示できるのであるが、文字が見難くなり、実用的でなくなってしまうことから、なるべく大きな文字で表示する必要がある。
そこで、名称と電話番号とを同時に表示させずに、個々に表示させている。
【０００７】
【発明が解決しようとする課題】
しかし、上記従来の通信装置では、チェインダイアル機能の利用時に、後で入力した登録番号に対応する名称が表示されないので、使用者にとっては正しい登録番号を入力したのか否かの判断がつきにくいという課題があった。
【０００８】
たとえば、企業などでは、全国各地の事業所について、各部門毎に下４桁の電話番号を共通にしている場合がある。具体例を示すと、全国各地のいずれの事業所も、営業部門の電話番号は下４桁が「２７９１」である。このような場合、Ａ事業所の市外局番を含む局番が「０５２８２４」であって、Ｂ事業所においては、登録番号「０２」に、名称として「Ａ事業所」が、固有番号として「０５２８２４」がそれぞれ登録されており、登録番号「１５」に、名称として「営業」が、固有番号として「２７９１」がそれぞれ登録されているとすると、Ｂ事業所の所員がＡ事業所の営業部門にファクシミリ送信するに際して、ダイアルキーの操作により「０２」「１５」と入力することになる。このとき、「０２」を入力した時点で、「Ａ事業所」という名称が表示されるので、使用者は自分のキー操作が正しかったことを直感的に判断できる。ところが、次に「１５」を入力した時点では、「営業」という名称が表示されず、「０５２８２４２７９１」という、連結された固有番号すなわち発呼すべき電話番号が表示されるので、使用者は、営業部門の電話番号は下４桁が「２７９１」であることを覚えていない限り、自分のキー操作が正しかったか否かを判断できない。また、たとえ営業部門の電話番号は下４桁が「２７９１」であることを覚えていたとしても、「０５２８２４２７９１」と表示されている数字列のうちの「２７９１」の部分だけを頭の中で取り出して判断する必要があり、使い勝手が悪い。
【０００９】
本発明は、上記の点に鑑みて提案されたものであって、表示画面が小さくても、チェインダイアル機能の利用時に、キー操作が正しかったか否かを使用者が直感的に判断できる通信装置、およびその通信装置を制御するためのプログラムが格納された記憶媒体を提供することを目的としている。
【００１０】
【課題を解決するための手段】
上記目的を達成するため、請求項１に記載した発明の通信装置は、数字を含む文字などを表示可能な表示手段と、使用者が数字を含む文字などを入力するための操作手段と、任意桁数の登録番号と、名称と、その名称に対応する電話番号の少なくとも一部である固有番号とからなる単位電話帳情報を複数記憶可能な電話帳情報記憶手段と、使用者により操作手段が操作されることによって単位電話帳情報に属する登録番号が複数連続して入力されたときに、それらの単位電話帳情報に属する固有番号を電話帳情報記憶手段から読み出し、入力順に連結して１つの電話番号として発呼させる発呼制御手段とを有する通信装置であって、使用者により操作手段が操作されることによって単位電話帳情報に属する登録番号が複数連続して入力されたときに、先ず最初の単位電話帳情報に属する登録番号が入力された時点で、その単位電話帳情報に属する名称を電話帳情報記憶手段から読み出してそれを表示手段に表示させ、次以降の単位電話帳情報に属する登録番号が入力される毎に、その単位電話帳情報に属する名称を電話帳情報記憶手段から読み出してそれを現に表示されている名称に代えて表示手段に表示させ、その後に、既に入力済の登録番号に対応する固有番号を連結することによって構成される電話番号を現に表示されている名称に代えて表示手段に表示させる表示制御手段を備えている。
【００１１】
この通信装置によれば、表示制御手段が、使用者により操作手段が操作されることによって単位電話帳情報に属する登録番号が複数連続して入力されたときに、先ず最初の単位電話帳情報に属する登録番号が入力された時点で、その単位電話帳情報に属する名称を電話帳情報記憶手段から読み出してそれを表示手段に表示させ、次以降の単位電話帳情報に属する登録番号が入力される毎に、その単位電話帳情報に属する名称を電話帳情報記憶手段から読み出してそれを現に表示されている名称に代えて表示手段に表示させ、その後に、既に入力済の登録番号に対応する固有番号を連結することによって構成される電話番号を現に表示されている名称に代えて表示手段に表示させるので、表示画面が小さくても、チェインダイアル機能の利用時に、キー操作が正しかったか否かを使用者が直感的に判断できる。
【００１２】
すなわち、チェインダイアル機能の利用時に、所定のキー操作により最初の登録番号を入力すると、その登録番号に対応する名称が表示され、続くキー操作により次以降の登録番号を入力すると、その時点で先の登録番号に対応する名称が消去されて後の登録番号に対応する名称が表示されるので、使用者は自分がキー操作により入力した複数の登録番号にそれぞれ対応する名称を表示装置の表示画面上で順次見ることができ、自己のキー操作が正しかったか否かを直感的に判断できるのである。
【００１３】
チェインダイアル機能における登録番号のチェイン数は任意である。
【００１４】
表示手段としては、ＬＣＤ（liquid crystal display）を用いることができる
が、これに限らず、発光ダイオードアレイなどを用いてもよい。
【００１５】
操作手段としては、複数のキースイッチからなるキースイッチ群を用いることができるが、これに限らず、タッチパネルなどを用いてもよい。
【００１６】
電話帳情報記憶手段としては、ＥＥＰＲＯＭ（electrically erasable and programmable read only memory）などの不揮発性半導体メモリを用いることができるが、これに限らず、電池により電源バックアップが施されたＲＡＭ（random access memory）などを用いてもよい。
【００１７】
発呼制御手段は、たとえば所定のプログラムに基づいて動作するＣＰＵ（central processing unit）によって実現できる。
【００１８】
表示制御手段は、たとえば所定のプログラムに基づいて動作するＣＰＵによって実現できる。
【００１９】
また、請求項２に記載した発明の通信装置は、請求項１に記載の通信装置であって、表示制御手段は、次以降の単位電話帳情報に属する名称を表示手段に表示させた時点から所定時間後に、既に入力済の登録番号に対応する固有番号を連結することによって構成される電話番号を現に表示されている名称に代えて表示手段に表示させる。
【００２０】
この通信装置によれば、請求項１に記載の通信装置による効果に加えて、使用者が登録番号の入力を所定時間行なわなければ、最後に入力した登録番号に対応する名称の表示状態から、固有番号がチェインされた電話番号の表示状態に自動的に切り替わる。
【００２１】
更に、請求項３に記載した発明の通信装置は、請求項１に記載の通信装置であって、表示制御手段は、次以降の単位電話帳情報に属する名称を表示手段に表示させた後、使用者により操作手段に所定の操作が施されたときに、既に入力済の登録番号に対応する固有番号を連結することによって構成される電話番号を現に表示されている名称に代えて表示手段に表示させる。
【００２２】
この通信装置によれば、請求項１に記載の通信装置による効果に加えて、最後に入力した登録番号に対応する名称の表示状態を、使用者の所望に応じた時間だけ継続できる。
【００２３】
また、請求項４に記載した発明の通信装置は、請求項１に記載の通信装置であって、表示制御手段は、次以降の単位電話帳情報に属する名称を表示手段に表示させた時点から所定時間が経過するか、あるいは使用者により操作手段に所定の操作が施されたときに、既に入力済の登録番号に対応する固有番号を連結することによって構成される電話番号を現に表示されている名称に代えて表示手段に表示させる。
【００２４】
この通信装置によれば、請求項１に記載の通信装置による効果に加えて、使用者による操作を要さずに、名称の表示状態からチェインされた電話番号の表示状態に切り替わるとともに、その切り替わりまでの期間中は、使用者の所望に応じていつでも所定の操作により表示状態を切り替えることができる。
更に、請求項５に記載した発明の通信装置は、３以上の前記固有番号を連結することでも電話番号を構成できる場合、前記操作手段が操作されることによって３回目以降に入力される前記登録番号は、所定時間内に入力可能である。
更に、請求項６に記載の発明の通信装置は、３回目以降に入力される前記登録番号は、所定時間内であって、使用者により前記操作手段に所定の操作が施される前に入力可能である。
【００２５】
更に、請求項７に記載した発明の通信装置は、請求項１ないし６のいずれかに記載の通信装置であって、登録番号の入力は、使用者によって、所定のキー操作が行なわれた後に、登録番号がダイアルキーで数字入力されることにより行なわれる。
【００２６】
この通信装置によれば、請求項１ないし６のいずれかに記載の通信装置による効果に加えて、いわゆる短縮ダイアルあるいはスピードダイアルと呼称される、短縮キーなどを押下した後にダイアルキーで登録番号を入力する場合に、連続して入力される登録番号に対応する名称を順次表示させることができる。
【００２７】
また、請求項８に記載した発明の通信装置は、請求項７に記載の通信装置であって、登録番号は、１桁であり、登録番号の入力は、使用者によって、所定の１個のキーと１個のダイアルキーとが操作されることのみにより行なわれる。
【００２８】
この通信装置によれば、請求項７に記載の通信装置による効果に加えて、ダイアルキーについては１回の操作で登録番号を入力することが可能であり、この場合に、連続して入力される登録番号に対応する名称を順次表示させることができる。
【００２９】
更に、請求項９に記載した発明の通信装置は、請求項１ないし８のいずれかに記載の通信装置であって、ダイアルキーとは別に設けられた複数のキーに登録番号がそれぞれ割り付けられており、登録番号の入力は、使用者によって、ダイアルキーとは別に設けられたキーが操作されることにより行なわれる。
【００３０】
この通信装置によれば、請求項１ないし８のいずれかに記載の通信装置による効果に加えて、１個のキーを用いた１回の操作により登録番号が入力される、一般的なワンタッチダイアルの場合に、連続して入力される登録番号に対応する名称を順次表示させることができる。
【００３１】
また、請求項１０に記載した発明の記憶媒体は、数字を含む文字などを表示可能な表示手段と、使用者が数字を含む文字などを入力するための操作手段と、任意桁数の登録番号と、名称と、その名称に対応する電話番号の少なくとも一部である固有番号とからなる単位電話帳情報を複数記憶可能な電話帳情報記憶手段と、使用者により操作手段が操作されることによって単位電話帳情報に属する登録番号が複数連続して入力されたときに、それらの単位電話帳情報に属する固有番号を電話帳情報記憶手段から読み出し、入力順に連結して１つの電話番号として発呼させる発呼制御手段とを有する通信装置を制御するためのプログラムが格納された記憶媒体であって、使用者により操作手段が操作されることによって単位電話帳情報に属する登録番号が複数連続して入力されたときに、先ず最初の単位電話帳情報に属する登録番号が入力された時点で、その単位電話帳情報に属する名称を電話帳情報記憶手段から読み出してそれを表示手段に表示させ、次以降の単位電話帳情報に属する登録番号が入力される毎に、その単位電話帳情報に属する名称を電話帳情報記憶手段から読み出してそれを現に表示されている名称に代えて表示手段に表示させ、その後に、既に入力済の登録番号に対応する固有番号を連結することによって構成される電話番号を現に表示されている名称に代えて表示手段に表示させるための表示制御プログラムを含むプログラムが格納されている。
【００３２】
この記憶媒体によれば、格納されたプログラムに基づいてＣＰＵを動作させることにより、請求項１に記載の通信装置の動作を実現できる。
【００３３】
記憶媒体としては、ＲＯＭ（read only memory）を用いることができるが、これに限らず、電池により電源バクアップが施されたＲＡＭなどの各種の半導体メモリ、ハードディスクやフレキシブルディスクなどの各種の磁気ディスク、各種の光磁気ディスク、あるいは各種の光ディスクなどを用いてもよい。
【００３４】
【発明の実施の形態】
以下、本発明の好ましい実施の形態を、図面を参照しつつ具体的に説明する。
【００３５】
図１は、本発明に係る通信装置の一例としてのファクシミリ装置の回路ブロック図であって、このファクシミリ装置は、ＣＰＵ１、ＮＣＵ２、ＲＡＭ３、モデム４、ＲＯＭ５、ＥＥＰＲＯＭ６、ゲートアレイ７、コーデック８、ＤＭＡＣ９、読取部１１、記録部１２、操作部１３、および表示部１４を備えている。ＣＰＵ１、ＮＣＵ２、ＲＡＭ３、モデム４、ＲＯＭ５、ＥＥＰＲＯＭ６、ゲートアレイ７、コーデック８、およびＤＭＡＣ９は、バス線１５により相互に接続されている。バス線１５には、アドレスバス、データバス、および制御信号線が含まれる。ゲートアレイ７には、読取部１１、記録部１２、操作部１３、表示部１４、および無線通信部１７が接続されている。ＮＣＵ２には、モデム４および電話回線１６が接続されている。
【００３６】
ＣＰＵ１は、ファクシミリ装置全体を制御する。
【００３７】
ＮＣＵ（network control unit）２は、電話回線１６に接続されて網制御を行
う。
【００３８】
ＲＡＭ３は、ＣＰＵ１にワーク領域を提供するとともに、各種のデータを記憶する。
【００３９】
モデム４は、送信データの変調や受信データの復調などを行う。
【００４０】
ＲＯＭ５は、各種のプログラムや固定のデータなどを記憶している。
【００４１】
ＥＥＰＲＯＭ６は、各種の動作パラメータ、多数の単位電話帳情報などの登録データ、およびフラグなどを記憶する。
【００４２】
ゲートアレイ７は、ＣＰＵ１の入出力インターフェイス回路として機能するとともに、読取部１１からの読取画像信号に対して各種の処理を施す。
【００４３】
コーデック８は、送信ファクシミリデータの符号化や受信ファクシミリデータの復号化を行う。
【００４４】
ＤＭＡＣ（direct memory access controller）９は、ＣＰＵ１から独立してＲＡＭ３への読取画像データを含む各種のデータの書き込みや読み出しを行う。
【００４５】
読取部１１は、光源やラインイメージセンサや原稿送りモータなどを備えており、読取原稿を読み取ってアナログの読取画像信号を出力する。
【００４６】
記録部１２は、受信画像や読取画像を記録用紙上にカラー印刷あるいはモノクロ印刷する。
【００４７】
操作部１３は、キースイッチ群などからなり、使用者の操作に応じた信号を出力する。
【００４８】
表示部１４は、ＬＣＤなどからなり、ＣＰＵ１により制御されて各種の表示を行う。
【００４９】
図２は、ＥＥＰＲＯＭ６に記憶されている単位電話帳情報の説明図であって、この実施形態では、ワンタッチダイアルとして「０１」から「２４」までの２４件の単位電話帳情報が登録可能である。図２においては、登録番号「０１」に、「ＡＲＥＡ−Ａ」という名称と、「０５２８２４」という固有番号とが登録されている。また、登録番号「０２」に、「ＡＲＥＡ−Ｂ」という名称と、「０３３２５６」という固有番号とが登録されている。また、登録番号「０３」に、「ＳＥＬＬ」という名称と、「２７９１」という固有番号とが登録されている。また、登録番号「０４」に、「ＮＦＯ」という名称と、「８６４３」という固有番号とが登録されている。固有番号は、名称に対応する電話番号の少なくとも一部である。すなわち、チェインダイアル機能を利用しない登録番号には、固有番号として電話番号の全体が登録されており、チェインダイアル機能を利用する登録番号には、固有番号として電話番号の一部が登録されている。
【００５０】
なお、操作部１３には、上記「０１」〜「２４」の登録番号に対応する２４個のワンタッチキーが設けられ、任意のワンタッチキーを操作すると、その登録番号に対応して記憶されている名称、および固有番号が選択されるように構成されている。
【００５１】
上記ファクシミリ装置は、ある企業のある事業所に設置されており、この企業では、いずれの事業所においても、「ＳＥＬＬ」という部門の電話番号は下４桁が「２７９１」であり、「ＮＦＯ」という部門の電話番号は下４桁が「８６４３」である。したがって、「ＡＲＥＡ−Ａ」という事業所の「ＳＥＬＬ」という部門にファクシミリ送信を行なう場合、使用者は、操作部１３のワンタッチキーを操作して、「０１」と「０３」とを連続して入力することになる。
【００５２】
次に、上記ファクシミリ装置の動作の要点を説明する。「ＡＲＥＡ−Ａ」という事業所の「ＳＥＬＬ」という部門にファクシミリ送信を行なう場合、使用者は、操作部１３のワンタッチキーの「０１」と「０３」とを連続して入力する。このとき、先の登録番号である「０１」が入力された時点で、表示部１４の表示画面１４ａには、図３の（Ａ）のように、登録番号０１に対応する名称「ＡＲＥＡ−Ａ」が表示される。そして、後の登録番号である「０３」が入力された時点で、「ＡＲＥＡ−Ａ」の表示が消去され、表示部１４の表示画面１４ａには、図３の（Ｂ）のように、登録番号０３に対応する名称「ＳＥＬＬ」が表示される。そして、「ＳＥＬＬ」が２秒間表示されると、「ＳＥＬＬ」の表示が消去され、表示部１４の表示画面１４ａには、図３の（Ｃ）のように、登録番号０１に対応する固有番号０５２８２４と、登録番号０３に対応する固有番号２７９１とが連結された電話番号「０５２８２４２７９１」が表示される。また、２秒間の「ＳＥＬＬ」の表示中いつでも、使用者がたとえば「♯」キーを押下すれば、「ＳＥＬＬ」の表示から「０５２８２４２７９１」の表示に切り替わる。この状態で、使用者がたとえばスタートキーなどの発呼開始用のキースイッチを押下すれば、「０５２８２４２７９１」に発呼される。
【００５３】
このように、従来のファクシミリ装置などでは、チェインダイアル機能の使用時に、図３の（Ｂ）に示す表示がなされなかったのに対し、本実施形態におけるファクシミリ装置では、図３の（Ｂ）に示す名称表示が最長２秒間行なわれるので、使用者は、発呼の前に、自己の意図する相手先に正しく発呼されることが直感的に判断でき、安心してスタートキーなどを押下できる。また、「♯」キーを押下することにより、「ＳＥＬＬ」の表示から「０５２８２４２７９１」の表示に切り替わるので、使用者は、「ＳＥＬＬ」の表示を確認した後、２秒間待つことなく直ちに発呼可能な状態にさせることができる。
【００５４】
すなわち、表示部１４は、数字を含む文字などを表示可能な表示手段を構成している。
【００５５】
操作部１３は、使用者が数字を含む文字などを入力するための操作手段を構成している。
【００５６】
ＥＥＰＲＯＭ６は、任意桁数の登録番号と、名称と、その名称に対応する電話番号の少なくとも一部である固有番号とからなる単位電話帳情報を複数記憶可能な電話帳情報記憶手段を構成している。
【００５７】
ＣＰＵ１は、使用者により操作手段が操作されることによって２つの単位電話帳情報に属する登録番号が連続して入力されたときに、それら２つの単位電話帳情報に属する固有番号を電話帳情報記憶手段から読み出し、それら２つの固有番号を１つの電話番号としてその電話番号に発呼させる発呼制御手段を実現している。
【００５８】
ＣＰＵ１は、使用者により操作手段が操作されることによって２つの単位電話帳情報に属する登録番号が連続して入力されたときに、先ず最初の単位電話帳情報に属する登録番号が入力された時点で、その単位電話帳情報に属する名称を電話帳情報記憶手段から読み出してそれを表示手段に表示させ、次の単位電話帳情報に属する登録番号が入力された時点で、その単位電話帳情報に属する名称を電話帳情報記憶手段から読み出してそれを現に表示されている名称に代えて表示手段に表示させ、その後に発呼制御手段によって発呼される電話番号を現に表示されている名称に代えて表示手段に表示させる表示制御手段を実現している。
【００５９】
ＲＯＭ５は、数字を含む文字などを表示可能な表示手段と、使用者が数字を含む文字などを入力するための操作手段と、任意桁数の登録番号と、名称と、その名称に対応する電話番号の少なくとも一部である固有番号とからなる単位電話帳情報を複数記憶可能な電話帳情報記憶手段と、使用者により操作手段が操作されることによって２つの単位電話帳情報に属する登録番号が連続して入力されたときに、それら２つの単位電話帳情報に属する固有番号を電話帳情報記憶手段から読み出し、それら２つの固有番号を１つの電話番号としてその電話番号に発呼する発呼制御手段とを有する通信装置を制御するためのプログラムが格納された記憶媒体であって、使用者により操作手段が操作されることによって２つの単位電話帳情報に属する登録番号が連続して入力されたときに、先ず最初の単位電話帳情報に属する登録番号が入力された時点で、その単位電話帳情報に属する名称を電話帳情報記憶手段から読み出してそれを表示手段に表示させ、次の単位電話帳情報に属する登録番号が入力された時点で、その単位電話帳情報に属する名称を電話帳情報記憶手段から読み出してそれを現に表示されている名称に代えて表示手段に表示させ、その後に発呼制御手段によって発呼される電話番号を現に表示されている名称に代えて表示手段に表示させるための表示制御プログラムを含むプログラムが格納されている記憶媒体を構成している。
【００６０】
図４は、上記ファクシミリ装置におけるＣＰＵ１による発呼表示制御処理の手順を説明するフローチャートであって、この発呼表示制御処理はメインルーチンに属しており、一定時間毎ではないが、充分に短い時間間隔で実行される。
【００６１】
先ずＣＰＵ１が、１つ目の登録番号が入力されたか否かを判断する（Ｓ１）。具体的には、ＣＰＵ１が、操作部１３からの操作信号を監視し、使用者がワンタッチキーを操作して２桁の登録番号を入力したかどうかを調べる。
【００６２】
登録番号が入力されていれば（Ｓ１：ＹＥＳ）、ＣＰＵ１が、入力された登録番号に対応する名称を表示部１４の表示画面に表示させる（Ｓ２）。たとえば、登録番号「０１」に対応するワンタッチキーが操作された場合、ＣＰＵ１が、ＥＥＰＲＯＭ６から登録番号「０１」に対応する名称「ＡＲＥＡ−Ａ」を読み出し、それを表示部１４に表示させる。
【００６３】
次にＣＰＵ１が、スタートキーが押下されたか否かを判断する（Ｓ３）。具体的には、ＣＰＵ１が、操作部１３からの操作信号を監視し、使用者がスタートキーを押下したかどうかを調べる。これは、チェインダイアル機能を利用しない登録番号の場合、１個の登録番号が入力された状態でスタートキーが押下されるためである。
【００６４】
スタートキーが押下されていなければ（Ｓ３：ＮＯ）、ＣＰＵ１が、次の登録番号が入力されたか否かを判断する（Ｓ４）。具体的には、ＣＰＵ１が、操作部１３からの操作信号を監視し、使用者がワンタッチキーを操作して登録番号を入力したかどうかを調べる。
【００６５】
登録番号が入力されていれば（Ｓ４：ＹＥＳ）、ＣＰＵ１が、入力された登録番号に対応する名称を表示部１４の表示画面に表示させる（Ｓ５）。たとえば、登録番号「０３」に対応するワンタッチキーが操作された場合、ＣＰＵ１が、「ＡＲＥＡ−Ａ」の表示を消去して、ＥＥＰＲＯＭ６から登録番号「０３」に対応する名称「ＳＥＬＬ」を読み出し、それを表示部１４に表示させる。
【００６６】
次にＣＰＵ１が、タイマをスタートさせる（Ｓ６）。このタイマは、「ＳＥＬＬ」を表示させておく最大時間を規定するものであって、２秒間に設定されている。このタイマは、たとえば所定周期のクロック信号のパルス数をカウントするカウンタにより実現できる。
【００６７】
次にＣＰＵ１が、ステップＳ６においてスタートさせたタイマがタイムアップしたか否かを判断する（Ｓ７）。
【００６８】
タイマがタイムアップしていなければ（Ｓ７：ＮＯ）、ＣＰＵ１が、「♯」キーが押下されたか否かを判断する（Ｓ８）。具体的には、ＣＰＵ１が、操作部１３からの操作信号を監視し、使用者が「♯」キーを押下したかどうかを調べる。
【００６９】
「♯」キーが押下されていれば（Ｓ８：ＹＥＳ）、ＣＰＵ１が、ステップＳ１において入力された登録番号に対応する固有番号とステップＳ４において入力された登録番号に対応する固有番号とを連結し、それを電話番号として表示部１４の表示画面に表示させる。たとえば、ＣＰＵ１が、「ＳＥＬＬ」の表示を消去し、登録番号「０１」に対応する固有番号「０５２８２４」と登録番号「０３」に対応する固有番号「２７９１」とを連結し、「０５２８２４２７９１」を発呼すべき電話番号として表示部１４に表示させる。
【００７０】
次にＣＰＵ１が、スタートキーが押下されたか否かを判断する（Ｓ１０）。具体的には、ＣＰＵ１が、操作部１３からの操作信号を監視し、使用者がスタートキーを押下したかどうかを調べる。
【００７１】
スタートキーが押下されていれば（Ｓ１０：ＹＥＳ）、ＣＰＵ１が、ＮＣＵ２を制御し、電話番号を発呼させて（Ｓ１１）、このルーチンを終了する。具体的には、ＣＰＵ１がＮＣＵ２を制御して、電話番号「０５２８２４２７９１」を発呼させる。
【００７２】
ステップＳ１０において、スタートキーが押下されていなければ（Ｓ１０：ＮＯ）、ステップＳ１０に戻ってスタートキーが押下されるのを待つ。
【００７３】
ステップＳ８において、「♯」キーが押下されていなければ（Ｓ８：ＮＯ）、ステップＳ７に戻ってタイマがタイムアップするかあるいは「♯」キーが押下されるのを待つ。
【００７４】
ステップＳ７において、タイマがタイムアップしていれば（Ｓ７：ＹＥＳ）、使用者が「♯」キーを押下することなく「ＳＥＬＬ」の表示状態が２秒間継続したということなので、ステップＳ９に進む。
【００７５】
ステップＳ４において、登録番号が入力されていなければ（Ｓ４：ＮＯ）、ステップＳ３に戻ってスタートキーが押下されるかあるいは登録番号が入力されるのを待つ。
【００７６】
ステップＳ３において、スタートキーが押下されていれば（Ｓ３：ＹＥＳ）、チェインダイアル機能を利用しないということなので、ステップＳ１において入力された登録番号に対応する固有番号を電話番号として発呼させるべく、ステップＳ１１に進む。
【００７７】
ステップＳ１において、登録番号が入力されていなければ（Ｓ１：ＮＯ）、このルーチンを終了する。
【００７８】
図４に示すいずれのステップにおいても、使用者が中止キーを押下するなどの中止操作を行なえば、このルーチンを終了する。
【００７９】
なお、上記実施形態においては、ステップＳ６においてタイマをスタートさせた後、タイマがタイムアップするまでに、使用者が「♯」キーを押下すれば（Ｓ８：ＹＥＳ）、「ＳＥＬＬ」などの名称の表示状態から「０５２８２４２７９１」などの電話番号の表示状態に切り替えるように構成したが、タイマがタイムアップするまでは表示状態を切り替えないように構成してもよい。この場合、図５に示すように、図４におけるステップＳ８は不要になる。
【００８０】
さらには、タイマを用いることなく、使用者が「♯」キーを押下するまでは表示状態を切り替えないように構成してもよい。この場合、図６に示すように、図４におけるステップＳ６およびステップＳ７は不要になる。
【００８１】
また、上記実施形態においては、表示状態の切り替えのためのキーとして「♯」キーを用いたが、他のキーを用いてもよい。さらには、複数のキーの組み合わせにより表示状態を切り替えるように構成してもよい。
【００８２】
また、上記実施形態においては、ワンタッチダイアルの登録番号を２桁とし、「０１」から「２４」までの２４件を登録できるように構成したが、登録番号の桁数は任意であり、登録可能件数も任意である。
【００８３】
また、上記実施形態においては、ワンタッチキーによる入力の場合について説明したが、いわゆる短縮ダイアルあるいはスピードダイアルと呼称される、短縮キーなどの所定のキーを押下した後に、登録番号をダイアルキー（数字キー）を押下することにより指定し、その登録番号に対応して記憶される電話番号に発呼される場合であっても、ワンタッチダイアルの場合と同様に本発明を適用できる。この場合図７に示すように、図４におけるステップＳ１の前に、使用者により短縮キーが押下されたか否かを判断するステップＳ０が加わることになる。また、ステップＳ４における登録番号が入力されたか否かの判断も、短縮キーの押下に引き続いて登録番号が入力されたか否かを判断することになる。もちろん、短縮ダイアルを用いる場合も、名称表示から電話番号表示への切り替えを、図５のようにタイマのみを用いて行なってもよいし、図６のように使用者によるキー操作のみによって行なってもよい。
【００８４】
また、登録番号の桁数を１にし、「０」から「９」までの１０件を短縮ダイアルとして登録できるようにすれば、使用者は短縮キーの入力に続いて１個のダイアルキーを１回押下するだけで、１つの登録番号を入力できる。
【００８５】
また、上記実施形態においては、２つの登録番号に対応する固有番号をチェインさせるようにしたが、３以上の登録番号に対応する固有番号をチェインできるようにしてもよい。この場合、図８のように、図４におけるステップＳ７とステップＳ８との間に、使用者により登録番号が入力されたか否かを判断するステップＳ１５を設け、登録番号が入力されていれば（Ｓ１５：ＹＥＳ）、ステップＳ５に戻って、新たに入力された登録番号に対応する名称を表示部１４に表示させるようにすればよい。図８に示す実施形態では、使用者が次の登録番号を入力することなく、かつ「♯」キーを押下することもなく、前の登録番号を入力した時点から所定時間が経過すれば、名称の表示状態からチェインされた固有番号からなる電話番号の表示状態に切り替わる。もちろん、３以上の登録番号に対応する固有番号をチェインする場合も、図５に示す場合と同様に、タイマのみで名称の表示状態からチェインされた固有番号からなる電話番号の表示状態に切り替えてもよく、あるいは図６に示す場合と同様に、使用者による「♯」キーの押下操作のみで名称の表示状態からチェインされた固有番号からなる電話番号の表示状態に切り替えてもよい。タイマのみで切り替える場合には、タイマがタイムアップするまでに使用者により新たな登録番号が入力されれば、その登録番号に対応する名称を表示部１４に表示させてタイマを再スタートさせればよい。また、使用者による「♯」キーの押下操作のみで切り替える場合には、使用者が「♯」キーを押下せずに新たな登録番号を入力すれば、その登録番号に対応する名称を表示部１４に表示させればよい。もちろん、ワンタッチキーでなくて短縮ダイアルの登録番号を３以上チェインさせる場合も同様であり、この場合には、各登録番号の入力前に短縮キーが押下されたか否かをＣＰＵ１が判断することになる。
【００８６】
また、上記実施形態においては、本発明をファクシミリ装置に適用したが、本発明はファクシミリ装置に限らず、電話装置や、ファクシミリ送受信機能、コピー機能、イメージスキャナ機能、プリンタ機能などを有する多機能周辺装置など、他の通信装置にも適用可能である。
【００８７】
【発明の効果】
以上説明したように請求項１に記載した発明の通信装置によれば、表示制御手段が、使用者により操作手段が操作されることによって単位電話帳情報に属する登録番号が複数連続して入力されたときに、先ず最初の単位電話帳情報に属する登録番号が入力された時点で、その単位電話帳情報に属する名称を電話帳情報記憶手段から読み出してそれを表示手段に表示させ、次以降の単位電話帳情報に属する登録番号が入力される毎に、その単位電話帳情報に属する名称を電話帳情報記憶手段から読み出してそれを現に表示されている名称に代えて表示手段に表示させ、その後に、既に入力済の登録番号に対応する固有番号を連結することによって構成される電話番号を現に表示されている名称に代えて表示手段に表示させるので、表示画面が小さくても、チェインダイアル機能の利用時に、キー操作が正しかったか否かを使用者が直感的に判断できる。
【００８８】
また、請求項２に記載した発明の通信装置によれば、請求項１に記載の通信装置による効果に加えて、使用者が登録番号の入力を所定時間行なわなければ、最後に入力した登録番号に対応する名称の表示状態から、固有番号がチェインされた電話番号の表示状態に自動的に切り替わる。
【００８９】
更に、請求項３に記載した発明の通信装置によれば、請求項１に記載の通信装置による効果に加えて、最後に入力した登録番号に対応する名称の表示状態を、使用者の所望に応じた時間だけ継続できる。
【００９０】
また、請求項４に記載した発明の通信装置によれば、請求項１に記載の通信装置による効果に加えて、使用者による操作を要さずに、名称の表示状態からチェインされた電話番号の表示状態に切り替わるとともに、その切り替わりまでの期間中は、使用者の所望に応じていつでも所定の操作により表示状態を切り替えることができる。
【００９１】
更に、請求項７に記載した発明の通信装置によれば、請求項１ないし６のいずれかに記載の通信装置による効果に加えて、いわゆる短縮ダイアルあるいはスピードダイアルと呼称される、短縮キーなどを押下した後にダイアルキーで登録番号を入力する場合に、連続して入力される登録番号に対応する名称を順次表示させることができる。
【００９２】
また、請求項８に記載した発明の通信装置によれば、請求項７に記載の通信装置による効果に加えて、ダイアルキーについては１回の操作で登録番号を入力することが可能であり、この場合に、連続して入力される登録番号に対応する名称を順次表示させることができる。
【００９３】
更に、請求項９に記載した発明の通信装置によれば、請求項１ないし８のいずれかに記載の通信装置による効果に加えて、１個のキーを用いた１回の操作により登録番号が入力される、一般的なワンタッチダイアルの場合に、連続して入力される登録番号に対応する名称を順次表示させることができる。
【００９４】
また、請求項１０に記載した発明の記憶媒体によれば、格納されたプログラムに基づいてＣＰＵを動作させることにより、請求項１に記載の通信装置の動作を実現できる。
【図面の簡単な説明】
【図１】本発明に係る通信装置の一例としてのファクシミリ装置の回路ブロック図である。
【図２】図１に示すファクシミリ装置に備えられたＥＥＰＲＯＭに記憶されている電話帳情報の内容の説明図である。
【図３】図１に示すファクシミリ装置に備えられた表示部による表示内容の説明図である。
【図４】図１に示すファクシミリ装置に備えられたＣＰＵによる発呼表示制御処理の手順を説明するフローチャートである。
【図５】別の実施形態における発呼表示制御処理の手順を説明するフローチャートである。
【図６】さらに別の実施形態における発呼表示制御処理の手順を説明するフローチャートである。
【図７】さらに別の実施形態における発呼表示制御処理の手順を説明するフローチャートである。
【図８】さらに別の実施形態における発呼表示制御処理の手順を説明するフローチャートである。
【符号の説明】
１  ＣＰＵ
２  ＮＣＵ
３  ＲＡＭ
４  モデム
５  ＲＯＭ
６  ＥＥＰＲＯＭ
７  ゲートアレイ
１３  操作部
１４  表示部
【図１】
0003589110.tif 000002
【図２】
0003589110.tif 000003
【図３】
0003589110.tif 000004
【図４】
0003589110.tif 000005
【図５】
0003589110.tif 000006
【図６】
0003589110.tif 000007
【図７】
0003589110.tif 000008
【図８】
0003589110.tif 000009